(57)【要約】【課題】ネットワーク内で多数の保守ドメインによって運用保守管理をすることができるように、イーサネットＯＡＭフレーム(Operation Administration and Maintenance)を用いた保守ドメインレベル管理方法、レイヤ２ネットワーク装置、プログラム及びデータ構造を提供する。【解決手段】第１のレイヤ２ネットワーク装置が、ネットワークを介して第２のレイヤ２ネットワーク装置へ送信すべきイーサネットＯＡＭフレームに対して、ＯｕｔｅｒＯＡＭヘッダを更に付加して送信する。これに対し、ネットワークに接続された通信装置が、ＯｕｔｅｒＯＡＭヘッダに含まれる保守ドメインレベルに基づいて運用保守管理をする。そして、第２のレイヤ２ネットワーク装置が、第１のレイヤ２ネットワーク装置から受信したＯＡＭフレームについて、ＯｕｔｅｒＯＡＭヘッダを除去して送信する。【選択図】図３
2008167331.tif 000002
【特許請求の範囲】
【請求項１】
複数のポートの間でレイヤ２フレームを中継する通信装置であって、２つの通信装置が、ネットワークを介して、保守ドメインレベルを含むイーサネットＯＡＭ(Operation Administration and Maintenance)フレームを送受信することにより、前記ネットワークの運用保守管理をする保守ドメインレベル管理方法であって、
第１の通信装置が、前記ネットワークを介して第２の通信装置へ送信すべきイーサネットＯＡＭフレームに対して、外側ＯＡＭヘッダを更に付加して送信する第１のステップと、
前記ネットワークに接続された通信装置が、前記外側ＯＡＭヘッダに含まれる前記保守ドメインレベルに基づいて運用保守管理をする第２のステップと、
第２の通信装置が、第１の通信装置から受信したＯＡＭフレームについて、前記外側ＯＡＭヘッダを除去して送信する第３のステップと
を有することを特徴とする保守ドメインレベル管理方法。
【請求項２】
前記イーサネットＯＡＭフレームにおける前記保守ドメインレベルの事業者ドメインレベルが、前記外側ＯＡＭヘッダに含まれる前記保守ドメインレベルの全てのレベルに拡張されることを特徴とする請求項１に記載の保守ドメインレベル管理方法。
【請求項３】
複数のポートの間でレイヤ２フレームを中継する通信装置であって、ネットワークの端に接続され且つイーサネットＯＡＭフレームを送受信する通信装置であって、
前記ネットワークを介して相手側通信装置へ送信すべきイーサネットＯＡＭフレームに対して、外側ＯＡＭヘッダを更に付加する外側ＯＡＭヘッダ付加手段と、
前記ネットワークを介して相手側通信装置から受信したＯＡＭフレームについて、前記外側ＯＡＭヘッダを除去する外側ＯＡＭヘッダ除去手段と
を有することを特徴とする通信装置。
【請求項４】
前記イーサネットＯＡＭフレームにおける前記保守ドメインレベルの事業者ドメインレベルが、前記外側ＯＡＭヘッダに含まれる保守ドメインレベルの全てのレベルに拡張されることを特徴とする請求項３に記載の通信装置。
【請求項５】
複数のポートの間でレイヤ２フレームを中継する通信装置に搭載されたコンピュータを機能させるプログラムであって、ネットワークの端に接続され且つイーサネットＯＡＭフレームを送受信する通信装置用のプログラムであって、
前記ネットワークを介して相手側通信装置へ送信すべきイーサネットＯＡＭフレームに対して、外側ＯＡＭヘッダを更に付加する外側ＯＡＭヘッダ付加手段と、
前記ネットワークを介して相手側通信装置から受信したＯＡＭフレームについて、前記外側ＯＡＭヘッダを除去する外側ＯＡＭヘッダ除去手段と
してコンピュータを機能させることを特徴とする通信装置用のプログラム。
【請求項６】
前記イーサネットＯＡＭフレームにおける前記保守ドメインレベルの事業者ドメインレベルが、前記外側ＯＡＭヘッダに含まれる保守ドメインレベルの全てのレベルに拡張されるようにコンピュータを機能させることを特徴とする請求項５に記載の通信装置用のプログラム。
【請求項７】
ネットワークの端に接続され且つ複数のポートの間でレイヤ２フレームを中継する通信装置によって送受信されるイーサネットＯＡＭフレームのデータ構造であって、
通常のイーサネットＯＡＭフレームに、外側ＯＡＭヘッダを更に付加したものであり、
前記ネットワークに接続された通信装置に搭載されたコンピュータが、前記外側ＯＡＭヘッダに含まれる前記保守ドメインレベルに基づいて運用保守管理をするように機能することを特徴とするイーサネットＯＡＭフレームのデータ構造。
【請求項８】
前記イーサネットＯＡＭフレームにおける前記保守ドメインレベルの事業者ドメインレベルが、前記外側ＯＡＭヘッダに含まれる保守ドメインレベルの全てのレベルに拡張されるように、前記通信装置に搭載されたコンピュータが機能することを特徴とする請求項７に記載のイーサネットＯＡＭフレームのデータ構造。
【発明の詳細な説明】
【技術分野】
【０００１】
本発明は、拡張された保守ドメインレベル管理方法、通信装置、プログラム及びデータ構造に関する。
【背景技術】
【０００２】
現在のところ、ＬＡＮ(Local Area Network)用のレイヤ２ネットワークとして、イーサネット（登録商標）技術が普及している。これに対し、近年、超高速のレイヤ２ネットワークとして、ＦＴＴＨ(Fiber To The Home)技術が用いられてきている。このＦＴＴＨ技術や他の高速アクセスライン技術によって、アクセスネットワークの通信速度が増大するに伴って、コアネットワークやメトロネットワークも含めた通信ネットワークの大容量化が必要となっている。また、ネットワーク全体の通信速度の向上と共に、レイヤ２ネットワーク装置のような通信装置のスイッチング処理容量の増大や、レイヤ２ネットワーク装置間の通信速度の増大も必要となっている。
【０００３】
サービス事業者は、加入者に対して常に安定したサービスを提供するために、遠隔から接続線路の運用・保守・管理（ＯＡＭ：Operation Administration and Maintenance）をする必要がある。そのために、ＩＴＵ−Ｔ Ｙ．１７３１又はＩＥＥＥ８０２．１ａｇによって、イーサネットＯＡＭフレームが規定されてきている（例えば非特許文献１参照）。特に、ＩＴＵ−Ｔ Ｙ．１７３１は、イーサネット網にＳＯＮＥＴ(Synchronous Optical NETwork)とほぼ同等の運用保守管理機能を実現する規格である。
【０００４】
イーサネットＯＡＭフレームは、到達性管理(CFM: Connectivity Fault Management) や、エラー通知、リンク（回線）パフォーマンスモニタ等の機能やその情報を伝達する機能を有するフレームである。イーサネットＯＡＭフレームは、宛先ＭＡＣ(Media Access Control)アドレスと、送信元ＭＡＣアドレスと、Ethernet OAM TLV(Type, Length, and Value)と、ＦＣＳ(Frame Check Sequence)とを含む。ＭＡＣアドレスは、運用保守管理対象となるレイヤ２ネットワーク装置固有の、又はネットワークインターフェイスカードに固有の、４８ビットの識別番号である。通常レイヤ２ネットワーク装置は、ネットワークインターフェイスカードが持つ固有の識別子は用いられず、その装置自体を特定する１つの装置ＭＡＣアドレス（ＣＰＵ−ＭＡＣアドレス）を用いて、フレーム転送時などは装置を認識する。Ethernet OAM TLVは、例えば、制御情報（要求／応答）、ステータス（電源状態、受信光状態、リンク断、故障等）、ベンダコード、モデルコード等を含む。
【０００５】
図１は、保守ドメインを表すシステム構成図である。
【０００６】
図１によれば、レイヤ２ネットワークである複数の事業者網を介して、ユーザ端末２の間が接続されている。ネットワークには、複数のレイヤ２ネットワーク装置が接続されており、レイヤ２ネットワーク装置によってイーサネットＯＡＭフレームが中継して転送される。到達性を保守管理するネットワーク範囲として、保守ドメイン(Maintenance Domain)がある。保守ドメインは、複数の階層によって構成される。複数の階層によって構成される。この階層を、保守ドメインレベル(Maintenance Domain Level：ＭＤレベル)という。
【０００７】
図１によれば、保守管理範囲は、以下のように表される。
・ユーザドメイン(Customer Domain)（ドメインレベル５〜７）：ユーザ端末間
・事業者網ドメイン(Provider Domain)（ドメインレベル３〜４）：事業者網全体
・事業者ドメイン(Operator Domain)（ドメインレベル０〜２）：事業者網毎
【０００８】
図２は、従来技術におけるイーサネットＯＡＭフレームのフレーム構成図である。
【０００９】
図２によれば、イーサネットＯＡＭフレームは、宛先アドレス(Destination Address)と、送信元アドレス(Source Address)と、ＯＡＭイーサネットタイプ(0x88b5)と、ＭＤレベルと、バージョン(Version)と、オペレーションコード(Operation Code)と、フラグ(Flags)と、ＴＬＶオフセット(Type/Length/Value Offset)と、ＴＬＶ(Type/Length/Value)と、ＦＣＳ(Frame Check Sequence)とからなる。
【００１０】
ＭＤレベルには、３ビット（２３）で８通りのレベルを表すことができる。ユーザドメインに７〜５が割り当てられ、事業者網ドメインに４〜３が割り当てられ、事業者ドメインに２〜０が割り当てられる。
【００１１】
【非特許文献１】瀬戸 康一郎、「８０２．１／８０２．３の標準化動向（３）」、 [online]、２００６年９月２５日、ＷＢＢフォーラム、[平成１８年１０月３１日検索]、インターネット＜URL:http://wbb.forum.impressrd.jp/report/20060922/280?page=0%2C0＞
【発明の開示】
【発明が解決しようとする課題】
【００１２】
しかしながら、レイヤ２ネットワークが広域に構築されたとすると、イーサネットＯＡＭの運用保守管理について、９つ以上の保守ドメインレベルが必要とされる場合も考えられる。特に、事業者レベルでは、わずか３レベルしか設定できないために、細かく保守ドメインを設定することができない。保守ドメインレベルを細かく設定できるということは、細かい運用保守管理も可能となる。
【００１３】
従って、本発明は、ネットワーク内で多数の保守ドメインによって運用保守管理をすることができるように、イーサネットＯＡＭフレームを用いた保守ドメインレベル管理方法、通信装置、プログラム及びデータ構造を提供することを目的とする。
【課題を解決するための手段】
【００１４】
本発明によれば、複数のポートの間でレイヤ２フレームを中継する通信装置であって、２つの通信装置が、ネットワークを介して、保守ドメインレベルを含むイーサネットＯＡＭフレームを送受信することにより、ネットワークの運用保守管理をする保守ドメインレベル管理方法であって、
第１の通信装置が、ネットワークを介して第２の通信装置へ送信すべきイーサネットＯＡＭフレームに対して、外側ＯＡＭヘッダを更に付加して送信する第１のステップと、
ネットワークに接続された通信装置が、外側ＯＡＭヘッダに含まれる保守ドメインレベルに基づいて運用保守管理をする第２のステップと、
第２の通信装置が、第１の通信装置から受信したＯＡＭフレームについて、外側ＯＡＭヘッダを除去して送信する第３のステップと
を有することを特徴とする。
【００１５】
本発明の保守ドメインレベル管理方法における他の実施形態よれば、イーサネットＯＡＭフレームにおける保守ドメインレベルの事業者ドメインレベルが、外側ＯＡＭヘッダに含まれる保守ドメインレベルの全てのレベルに拡張されることも好ましい。
【００１６】
本発明によれば、複数のポートの間でレイヤ２フレームを中継する通信装置であって、ネットワークの端に接続され且つイーサネットＯＡＭフレームを送受信する通信装置であって、
ネットワークを介して相手側通信装置へ送信すべきイーサネットＯＡＭフレームに対して、外側ＯＡＭヘッダを更に付加する外側ＯＡＭヘッダ付加手段と、
ネットワークを介して相手側通信装置から受信したＯＡＭフレームについて、外側ＯＡＭヘッダを除去する外側ＯＡＭヘッダ除去手段と
を有することを特徴とする。
【００１７】
本発明の通信装置における他の実施形態によれば、イーサネットＯＡＭフレームにおける保守ドメインレベルの事業者ドメインレベルが、外側ＯＡＭヘッダに含まれる保守ドメインレベルの全てのレベルに拡張されることも好ましい。
【００１８】
本発明によれば、複数のポートの間でレイヤ２フレームを中継する通信装置に搭載されたコンピュータを機能させるプログラムであって、ネットワークの端に接続され且つイーサネットＯＡＭフレームを送受信する通信装置用のプログラムであって、
ネットワークを介して相手側通信装置へ送信すべきイーサネットＯＡＭフレームに対して、外側ＯＡＭヘッダを更に付加する外側ＯＡＭヘッダ付加手段と、
ネットワークを介して相手側通信装置から受信したＯＡＭフレームについて、外側ＯＡＭヘッダを除去する外側ＯＡＭヘッダ除去手段と
してコンピュータを機能させることを特徴とする。
【００１９】
本発明の通信装置用プログラムにおける他の実施形態によれば、イーサネットＯＡＭフレームにおける保守ドメインレベルの事業者ドメインレベルが、外側ＯＡＭヘッダに含まれる保守ドメインレベルの全てのレベルに拡張されるようにコンピュータを機能させることも好ましい。
【００２０】
本発明によれば、ネットワークの端に接続され、複数のポートの間でレイヤ２フレームを中継する通信装置によって送受信されるイーサネットＯＡＭフレームのデータ構造であって、
通常のイーサネットＯＡＭフレームに対して、外側ＯＡＭヘッダを更にカプセル化して付加したものであり、
ネットワークに接続された通信装置に搭載されたコンピュータが、外側ＯＡＭヘッダに含まれる保守ドメインレベルに基づいて運用保守管理をするように機能することを特徴とする。
【００２１】
本発明のイーサネットＯＡＭフレームのデータ構造における他の実施形態によれば、イーサネットＯＡＭフレームにおける保守ドメインレベルの事業者ドメインレベルが、外側ＯＡＭヘッダに含まれる保守ドメインレベルの全てのレベルに拡張されるように、通信装置に搭載されたコンピュータが機能することも好ましい。
【発明の効果】
【００２２】
本発明の保守ドメインレベル管理方法、通信装置、プログラム及びデータ構造によれば、イーサネットＯＡＭフレームを用いて、ネットワーク内で多数の保守ドメインによって運用保守管理をすることができる。
【発明を実施するための最良の形態】
【００２３】
以下では、図面を用いて、本発明を実施するための最良の形態について詳細に説明する。
【００２４】
図３は、本発明におけるイーサネットＯＡＭフレームのフレーム構成図である。
【００２５】
図３によれば、図２と比較して、イーサネットＯＡＭフレームｉｎイーサネットＯＡＭフレームのカプセル化によって構成される。イーサネットＯＡＭフレームは、既存の規格の通りに構成される。従って、イーサネットＯＡＭフレームは、図２のフレームと全く同様である。
【００２６】
これに対して、イーサネットＯＡＭフレームに更に、Ｏｕｔｅｒ（外側）ＯＡＭヘッダが付加されている。これによって、例えば事業者ドメインについて、更に細かい階層レベルを設定することができる。例えば、１つの事業者ドメインについては、従来技術によれば３レベル（ドメインレベル２〜０）しか設定できない。これに対し、本発明の構成によれば、８レベル（ドメインレベル７〜０）を設定することができる。
【００２７】
ここで、ＯｕｔｅｒＯＡＭヘッダのＯＡＭイーサネットタイプは、通常のＯＡＭヘッダのＯＡＭイーサネットタイプに対して、異なる値に設定される。例えば、通常のＯＡＭイーサネットフレームのイーサネットタイプは、「０ｘ８８ｂ５」と設定され、ＯｕｔｅｒＯＡＭイーサネットタイプは、オプションとして例えば「０ｘ９９ｂ５」と設定される。ネットワークに接続されたレイヤ２ネットワーク装置は、イーサネットＯＡＭフレームを受信した際に、ＯＡＭイーサネットタイプを見ることによって、カプセル化ＯＡＭフレーム（ＯｕｔｅｒＯＡＭヘッダが付加されたイーサネットＯＡＭフレーム）か、又は通常のイーサネットＯＡＭフレームかを判断することができる。
【００２８】
尚、ＯＡＭイーサネットタイプが、カプセル化ＯＡＭフレームと判断されたとしても、そのレイヤ２ネットワーク装置は、特別な処理を要しない。カプセル化ＯＡＭフレームを受信したレイヤ２ネットワーク装置は、そのＭＤレベルの全てが、事業者レベルに設定されていると認識するだけである。
【００２９】
図４は、本発明におけるエッジ・レイヤ２ネットワーク装置の機能構成図である。
【００３０】
図４によれば、図１と同様に、ユーザ端末２の間は、複数の事業者網３を介して接続されている。ユーザ端末Ａから送信された通常のイーサネットＯＡＭフレームは、事業者網Ａ−＞事業者網Ｂ−＞事業者網Ｃを介して、ユーザ端末Ｂへ転送される。ここで、事業者網Ｂについて、保守ドメインレベルが拡張されている。
【００３１】
この場合、事業者網Ｂの両端に、エッジ・レイヤ２ネットワーク装置Ａ及びＢが接続される。エッジ・レイヤ２ネットワーク装置は、複数のポートの間でレイヤ２フレームを中継するレイヤ２ネットワーク装置であって、ネットワークの端に接続され且つイーサネットＯＡＭフレームを送受信する。
【００３２】
事業者網Ｂに接続されたエッジ・レイヤ２ネットワーク装置Ａ及びＢは、イーサネットＯＡＭフレームについて、ＯｕｔｅｒＯＡＭヘッダによるカプセル化又はデカプセル化をする。例えば、事業者網ＡからイーサネットＯＡＭフレームを受信したエッジ・レイヤ２ネットワーク装置Ａは、そのＯＡＭフレームにＯｕｔｅｒＯＡＭヘッダを付加して事業者網Ｂへ転送する。一方、事業者網ＢからＯｕｔｅｒＯＡＭヘッダが付加されたフレームを受信したエッジ・レイヤ２ネットワーク装置Ｂは、ＯｕｔｅｒＯＡＭヘッダを除去して事業者網Ｃへ転送する。
【００３３】
事業者網Ｂに接続されたレイヤ２ネットワーク装置は、ＯｕｔｅｒＯＡＭヘッダが付加されたイーサネットＯＡＭフレームを送受信する。従って、ＯｕｔｅｒＯＡＭヘッダに含まれるＭＤレベルは全て、事業者網Ｂに接続されたレイヤ２ネットワーク装置のみで使用することができる。即ち、事業者網Ｂに接続されたレイヤ２ネットワーク装置のみで、８レベルの保守ドメインを使用することができる。
【００３４】
図４によれば、エッジ・レイヤ２ネットワーク装置４の機能構成も表されている。エッジ・レイヤ２ネットワーク装置４は、複数のポート４００と、ＯＡＭ処理部４０１と、ＯＡＭフレーム判定部４０２と、ＯｕｔｅｒＯＡＭヘッダ付加部４０３と、ＯｕｔｅｒＯＡＭフレーム判定部４０４と、ＯｕｔｅｒＯＡＭヘッダ除去部４０５とを有する。これら機能構成は、ポート４００を除いて、エッジ・レイヤ２ネットワーク装置に搭載されたコンピュータによって機能されるプログラムを実行することによっても実現できる。
【００３５】
ポート４００は、ハードウェアとしての接続インタフェースである。各ポートには、ポート番号が付与され、事業者網に有線によって接続される。
【００３６】
ＯＡＭ処理部４０１は、イーサネットＯＡＭフレームを処理する。ここでは、ＩＴＵ−Ｔ Ｙ．１７３１又はＩＥＥＥ８０２．１ａｇに規定された処理内容を実現する。
【００３７】
ＯＡＭフレーム判定部４０２は、ポート４００で受信されたフレームが、イーサネットＯＡＭフレームか又は通常フレームかを判定する。通常フレームは、中継処理の上、次のポート４００へ通知される。イーサネットＯＡＭフレームは、ＯＡＭ処理部４０１へ通知される。
【００３８】
ＯｕｔｅｒＯＡＭヘッダ付加部４０３は、ＯＡＭ処理部４０１から出力された通常のイーサネットＯＡＭフレームに対して、ＯｕｔｅｒＯＡＭヘッダを更に付加する。ＯｕｔｅｒＯＡＭヘッダが付加されたカプセル化ＯＡＭフレームは、次のポート４００へ通知される。
【００３９】
ＯｕｔｅｒＯＡＭフレーム判定部４０４は、ポート４００で受信されたフレームが、ＯｕｔｅｒＯＡＭフレームか又は通常フレームかを判定する。通常フレームは、中継処理の上、次のポート４００へ通知される。ＯｕｔｅｒＯＡＭフレームは、ＯＡＭ処理部４０１へ通知される。
【００４０】
ＯｕｔｅｒＯＡＭヘッダ除去部４０５は、ＯＡＭ処理部４０１から出力されたカプセル化ＯＡＭフレームについて、ＯｕｔｅｒＯＡＭヘッダを除去する。これにより、通常のイーサネットＯＡＭフレームが、ポート４００から出力される。
【００４１】
以上、詳細に説明したように、本発明の保守ドメインレベル管理方法、レイヤ２ネットワーク装置、プログラム及びデータ構造によれば、イーサネットＯＡＭフレームを用いて、ネットワーク内で多数の保守ドメインによって運用保守管理をすることができる。
【００４２】
本発明によれば、ＩＴＵ−Ｔ Ｙ．１７３１又はＩＥＥＥ８０２．１ａｇに規定されるＯＡＭの保守ドメインレベルを増加させることができる。また、ＯｕｔｅｒＯＡＭヘッダを付加したとしても、ＯＡＭイーサネットタイプが異なるだけで、他のフレーム情報は、ＩＴＵ−Ｔ
Ｙ．１７３１又はＩＥＥＥ８０２．１ａｇによって規定されたものと全く同じである。従って、ネットワークに接続されるレイヤ２ネットワーク装置は、イーサネットＯＡＭフレームを処理可能な既存のものであってもよい。
【００４３】
また、イーサネットＯＡＭフレームに含まれるＭＡＣアドレスは、ネットワークに接続される全てのレイヤ２ネットワーク装置で、ＣＣＭ(Continuity Check Message)データベースに学習する必要がある。しかし、本発明を用いることにより、所定の事業者ドメインにおける細かい保守ドメインレベルを管理する必要が無いために、ＣＣＭに登録する情報量を縮小することができる。
【００４４】
更に、加入者のレイヤ２ネットワーク装置によって送信されるイーサネットＯＡＭフレームに含まれるＭＡＣアドレスが特殊な場合（例えば、複数のレイヤ２ネットワーク装置から送信されたイーサネットＯＡＭフレームのＭＡＣアドレスが重複している場合）であっても、本発明によればカプセル化されるために、所定のネットワークに転送することができる。
【００４５】
前述した本発明における種々の実施形態によれば、当業者は、本発明の技術思想及び見地の範囲における種々の変更、修正及び省略を容易に行うことができる。前述の説明はあくまで例であって、何ら制約しようとするものではない。本発明は、特許請求の範囲及びその均等物として限定するものにのみ制約される。
【図面の簡単な説明】
【００４６】
【図１】保守ドメインを表すシステム構成図である。
【図２】従来技術におけるイーサネットＯＡＭフレームのフレーム構成図である。
【図３】本発明におけるイーサネットＯＡＭフレームのフレーム構成図である。
【図４】本発明におけるエッジ・レイヤ２ネットワーク装置の機能構成図である。
【符号の説明】
【００４７】
１  レイヤ２ネットワーク装置
２  ユーザ端末
３  事業者網
４  エッジ・レイヤ２ネットワーク装置
４００  ポート
４０１  ＯＡＭ処理部
４０２  ＯＡＭフレーム判定部
４０３  ＯｕｔｅｒＯＡＭヘッダ付加部
４０４  ＯｕｔｅｒＯＡＭフレーム判定部
４０５  ＯｕｔｅｒＯＡＭヘッダ除去部
【図１】
2008167331.tif 000003
【図２】
2008167331.tif 000004
【図３】
2008167331.tif 000005
【図４】
2008167331.tif 000006